(57)【要約】【課題】一つのバックライトを二つの液晶表示パネルで共用する液晶表示モジュールにおいて、サブ液晶表示パネルが取り付けられる金属フレームに形成された開口部の額縁部がメイン表示画面において視認されることを確実に防止できるようにする。【解決手段】サブ液晶表示パネルに対してバックライト側に位置する金属フレーム５１でサブ液晶表示パネルが固定され、金属フレームのバックライト側の面に、白色と黒色との間の無彩色の塗装または印刷が施されている。塗装または印刷が施されることによって、金属フレーム５１の光の反射率は、金属のままである場合に比べて低くなる。【選択図】図１
2008009289.tif 000002
【特許請求の範囲】
【請求項１】
一つの両面発光バックライトと、両面発光バックライトの一面側に設けられたメイン液晶表示パネルと、両面発光バックライトの他面側に設けられたサブ液晶表示パネルとを有し、サブ液晶表示パネルに対してバックライト側に位置する金属フレームでサブ液晶表示パネルが固定される構造の液晶表示モジュールであって、
前記金属フレームのバックライト側の面に、白色と黒色との間の中間色の塗装または印刷が施されている
ことを特徴とする液晶表示モジュール。
【請求項２】
金属フレームのバックライト側の面に、無彩色の中間色の塗装または印刷が施されている
請求項１記載の液晶表示モジュール。
【発明の詳細な説明】
【技術分野】
【０００１】
本発明は、複数の液晶表示パネルとバックライトとを有する液晶表示モジュールに関する。
【背景技術】
【０００２】
携帯電話機として、上筐体と下筐体とがヒンジ機構で接続された折り畳み型のものが盛んに用いられている。折り畳み型の携帯電話機は、表示パネルとして、一般に、上筐体の内面（上筐体と下筐体とが開いた状態で視認可能になる面）に設けられたメイン表示画面と、上筐体の外面に設けられたサブ表示画面とを有する。
【０００３】
そして、二つの表示画面は、異なる表示パネルで実現される。以下、二つの表示パネルとして透過型の液晶表示パネルを用いる場合を例にする。二つの液晶表示パネルを用いる場合に、一つのバックライトを二つの液晶表示パネルで共用するような構造が採用されることがある（例えば、特許文献１参照）。バックライトは、ＬＥＤ等の光源と導光板とを含む。そして、バックライトとして、導光板の両面から面発光する両面発光バックライトが用いられる。
【０００４】
【特許文献１】特開２００５−３００８１１号公報（段落０００８、図１）
【発明の開示】
【発明が解決しようとする課題】
【０００５】
一つのバックライトを二つの液晶表示パネルで共用する液晶表示モジュールにおいて、図５に示すように、上筐体７１の内面におけるメイン表示画面を形成するメイン液晶表示パネル１の表示画面を視認したときに、サブ表示画面を形成するサブ液晶表示パネルが固定される部材に形成されている開口部５７の額縁部も視認されてしまうことがある。開口部５７の額縁部が視認されないように、例えば、図６に示すような構造が採用される。なお、開口部５７の額縁部とは、非開口部（開口部５７を有する板金５５の開口部５７ではない部分）における、開口部５７との境界（非開口部の端部）の近傍の部分である。
【０００６】
図６は、一つのバックライトを二つの液晶表示パネルで共用する液晶表示モジュールの構成例を模式的に示す断面図である。なお、図６において、符号が付された各部材は離れて示されているが、実際には、それらは密着している。
【０００７】
図６に示すように、光源１２からの光を導光する導光板１１の一面側に、フィルム群２０が積層され、その上にメイン液晶表示パネル１が設けられる。また、導光板１１の他面側に、フィルム群３０が積層され、その上（図６では下側）にサブ液晶表示パネル２が設けられる。サブ液晶表示パネル２は、ＳＵＳ（Stainless Used Steel）等を材質とする金属フレーム（以下、板金という。）５５に固定される。また、板金５５とフィルム群３０との間に、例えばＰＥＴ（Polyethyleneterephtalate）を材質とする白色や黒色のシート４１が設置されている。メイン液晶表示パネル１の表示画面のサイズは、サブ液晶表示パネル２の表示画面のサイズよりも大きい。
【０００８】
図７は、図６に示す液晶表示モジュールの構成をより詳しく示す説明図である。図７に示す例では、フィルム群２０は、導光板１１に近い側から、拡散シート２１、２枚のプリズムシート（レンズシート）２２，２３、拡散シート２４、およびメイン液晶表示パネル１（図示せず）を接着するための白黒両面テープ（一方の面が白色で、他方の面が黒色であるテープ）２５を含む。また、フィルム群３０は、導光板１１に近い側から、拡散シート３１、プリズムシート３２、および輝度向上フィルム３３を含む。なお、図７には、光源１２を構成する３つのＬＥＤが例示されている。
【０００９】
図６および図７に示すように、板金５５には、バックライトからの光を通過させるための開口部５７が設けられている。開口部５７の額縁部がメイン表示画面において視認されてしまうことを防止するために、板金５５の手前（バックライト側）にシート４１が設置される。シート４１にもバックライトからの光を通過させるための開口部４２が設けられている。そして、開口部５７の面積よりも、開口部４２の面積の方が小さい。より具体的には、メイン表示画面から見たときに、開口部５７の額縁部がシート４１の非開口部で隠されるように、開口部４２が形成されている。すなわち、開口部５７の額縁部は、シート４１の開口部４２に露出しない。そのような構造では、額縁部による光の反射によって額縁部がメイン表示画面において視認されることが防止される。なお、シート４１の材質や色は、シート４１の光の反射率が、金属の反射率よりも低くなるように選定される。
【００１０】
バックライトからの光の透過効率等の観点から開口部４２の面積を開口部５７の面積に近づけて、開口部４２が形成される。その場合、シート４１の設置位置にずれが生じた場合、すなわちシート４１が図６において左右方向にずれた場合、ずれの量が大きいと、開口部５７の額縁部がシート４１の開口部４２に露出してしまう。つまり、メイン表示画面から見たときに、開口部５７の額縁部がシート４１の非開口部で隠されない状態になる。すると、額縁部で反射した光がメイン液晶表示パネル１に到達し、額縁部がメイン表示画面において視認されてしまうことがある。
【００１１】
そこで、本発明は、一つのバックライトを二つの液晶表示パネルで共用する液晶表示モジュールにおいて、サブ液晶表示パネルが取り付けられる金属フレームに形成された開口部の額縁部がメイン表示画面において視認されることを確実に防止できるようにすることを目的とする。
【課題を解決するための手段】
【００１２】
本発明による液晶表示モジュールは、一つの両面発光バックライトと、両面発光バックライトの一面側に設けられたメイン液晶表示パネルと、両面発光バックライトの他面側に設けられたサブ液晶表示パネルとを有し、サブ液晶表示パネルに対してバックライト側に位置する金属フレームでサブ液晶表示パネルが固定される構造の液晶表示モジュールであって、金属フレームのバックライト側の面に、白色と黒色との間の中間色の塗装または印刷が施されていることを特徴とする。
【００１３】
金属フレームのバックライト側の面には、例えば、無彩色の中間色の塗装または印刷が施されている。
【発明の効果】
【００１４】
本発明によれば、追加部材を設けることなく、サブ液晶表示パネルが取り付けられる金属フレームに形成された開口部の額縁部がメイン表示画面において視認されることを防止できる。
【発明を実施するための最良の形態】
【００１５】
図１は、本発明による液晶表示モジュールの構成の一例を示す説明図である。図１に示す例では、液晶表示モジュールは、導光板１１とメイン液晶表示装置（図示せず）との間に、導光板１１に近い側から、拡散シート２１、２枚のプリズムシート（レンズシート）２２，２３、拡散シート２４、およびメイン液晶表示パネルを接着するための白黒両面テープ２５が設けられている。また、導光板１１とサブ液晶表示装置（図示せず）との間に、導光板１１に近い側から、拡散シート３１、プリズムシート３２、および輝度向上フィルム３３が設けられている。なお、図１には、光源１２を構成する３つのＬＥＤが例示されている。
【００１６】
また、導光板１１は、一面および他面から光を出射可能である。すなわち、バックライトは両面発光バックライトである。また、メイン液晶表示装置はバックライト（具体的には導光板１１）の一面側に設けられ、サブ液晶表示パネルはバックライトの他面側に設けられる。サブ液晶表示パネルの表示画面のサイズは、メイン液晶表示装置の表示画面のサイズよりも小さい。また、本実施の形態の液晶表示モジュールは、例えば、折り畳み型の携帯電話機に組み込まれる。
【００１７】
図２は、図１に示された液晶表示モジュールを模式的に示す断面図である。なお、図２において、符号が付された各部材は離れて示されているが、実際には、それらは密着している。また、メイン液晶表示パネル１と導光板１１との間に存在するフィルム群２０は、拡散シート２１、２枚のプリズムシート（レンズシート）２２，２３、拡散シート２４、および白黒両面テープ２５を含む。サブ液晶表示パネル２と導光板１１との間に存在するフィルム群３０は、拡散シート３１、プリズムシート３２、および輝度向上フィルム３３を含む。
【００１８】
なお、図１に示されたメイン液晶表示パネル１と導光板１１との間に存在するフィルム群２０の構成、およびサブ液晶表示パネル２と導光板１１との間に存在するフィルム群３０の構成は一例であり、他の構成を採用してもよい。
【００１９】
そして、図７に示された液晶表示モジュールとは異なり、図１および図２に示す液晶表示モジュールには、シート４１は含まれていない。従って、フィルム群３０とサブ液晶表示パネル２との間には、板金５１しか介在しない。
【００２０】
図３は、板金（金属フレーム）５１の構成例を示す斜視図である。板金５１のフィルム群３０側の面には、図３に斜線で示されているように、塗装または印刷が施されている。さらに、開口部５７の内端壁にも塗装または印刷が施されていてもよい。塗装または印刷は、塗装または印刷後に少なくとも鏡面反射状態を呈さないような塗装または印刷である。塗装または印刷が施されることによって、板金５１の光の反射率は、金属のままである場合に比べて低くなる。
【００２１】
板金５１の光の反射率を下げることができれば、塗料または印刷インクの色および組成に制限はない。しかし、色として、白色と黒色との間の中間色（白色より明度が低く、黒色よりも明度が高い色）を用いた場合には、ある程度の光を反射するので、メイン表示画面の明るさを上げる効果も期待できるので好ましい。一般には、灰色等の無彩色を使用する。なお、白色を用いた場合には、メイン表示画面の明るさを上げる効果は高いが、逆に、板金５１における額縁部（開口部５７の額縁部）が見えやすくなる可能性がある。
【００２２】
なお、本実施の形態では、図３に示すように、板金５１におけるバックライト側の面の全体に塗装または印刷が施されているが、塗装または印刷を全面に施さなくてもよい。例えば、図４に示すように、板金５１におけるバックライト側の面の一部に塗装または印刷を施すようにしてもよい。ここで、塗装または印刷が施される領域は、導光板１１の設置部に対応している。すなわち、導光板１１の任意の箇所から板金５１の面に垂線を延ばしたことを想定すると、垂線と板金５１の面の交点では塗装または印刷が施されている。
【００２３】
以上に説明したように、本実施の形態では、板金５１におけるバックライト側の面に、板金５１の光の反射率が金属のままである場合に比べて低くなるように塗装または印刷が施されているので、シート４１を設置することなく、板金５１の開口部５７の額縁部がメイン表示画面において視認されないようにすることができる。そして、シート４１を設置する必要がなくなるので、液晶表示モジュールの製造工程数を減らすことができる。また、シート４１を設置する必要がなくなるので、シート４１の設置位置ずれに起因して額縁部がメイン表示画面において視認されるようなことは生じない。
【００２４】
なお、本実施の形態では、携帯電話機に組み込まれる液晶表示モジュールを例にしたが、本実施の形態の液晶表示モジュールは、携帯電話機以外の二画面表示を必要とする他の端末に組み込まれるものとしても使用可能である。
【産業上の利用可能性】
【００２５】
本発明は、二画面表示を必要とする機器における表示部を構成するものとして好適に適用される。
【図面の簡単な説明】
【００２６】
【図１】本発明による液晶表示モジュールの構成の一例を示す説明図。
【図２】液晶表示モジュールを模式的に示す断面図。
【図３】板金の構成例を示す斜視図。
【図４】板金の他の構成例を示す斜視図。
【図５】メイン表示画面の視認例を示す説明図。
【図６】一般的な液晶表示モジュールを模式的に示す断面図。
【図７】一般的な液晶表示モジュールの構成例を示す説明図。
【符号の説明】
【００２７】
１    メイン液晶表示パネル
２    サブ液晶表示パネル
１１  導光板
１２  光源（ＬＥＤ）
２０  フィルム群
３０  フィルム群
５１  板金（金属フレーム）
５７  開口部
【図１】
2008009289.tif 000003
【図２】
2008009289.tif 000004
【図３】
2008009289.tif 000005
【図４】
2008009289.tif 000006
【図５】
2008009289.tif 000007
【図６】
2008009289.tif 000008
【図７】
2008009289.tif 000009